(57)【要約】【課題】駆動伝達切替機構の切替ギヤ及びスライド部材を支持する軸部への異物の付着を抑制する画像記録装置を提供する。【解決手段】画像記録装置であるプリンタ１０は、第１向きと第２向きとを含む主走査方向に往復動するキャリッジ２２と、モータＭと、モータＭの駆動力を複数の駆動部に選択的に切り替えて伝達する駆動伝達切替機構４０とを備える。駆動伝達切替機構４０は、フレーム４２と、軸部４３と、切替ギヤ４４と、伝達ギヤ４５，４６と、第１位置と第２位置との間をスライドすることによって切替ギヤ４４が伝達ギヤ４５，４６の何れかに噛合する複数のスライド位置に移動することを許容するスライド部材４７と、第１位置に位置するスライド部材４７よりも第１向き側においてスライド部材４７が摺接する軸部４３の第１摺接部４３Ａを主走査方向の全域に亘って覆う第１カバー部５１とを備える。【選択図】図６
2020116923.tif 000002
【特許請求の範囲】
【請求項１】
記録ヘッドを支持し、第１向きと前記第１向きと反対向きの第２向きとを含む主走査方向に往復動するキャリッジと、
モータと、
前記モータの駆動力を複数の駆動部に選択的に切り替えて伝達する駆動伝達切替機構と、を備え、
前記駆動伝達切替機構は、
フレームと、
前記フレームに支持され、前記主走査方向に延びる軸部と、
前記軸部にスライド可能に支持され、前記モータの駆動力によって回転する切替ギヤと、
前記切替ギヤのスライド位置に応じて前記主走査方向に並設され、前記切替ギヤと噛合可能であり、複数の前記駆動部へ駆動力を伝達するための複数の伝達ギヤと、
前記キャリッジの移動領域へ突出するレバーアームを有し、前記切替ギヤの前記第１向き側の前記軸部にスライド可能に支持され、前記キャリッジの往復動に連動してスライドし、第１位置と前記第１位置よりも前記第１向き側の第２位置との間をスライドすることによって前記切替ギヤが複数の前記伝達ギヤの何れかに噛合する複数のスライド位置に移動することを許容するスライド部材と、
前記スライド部材が前記第１位置と前記第２位置との間をスライドするときに、前記第１位置に位置する前記スライド部材よりも前記第１向き側において前記スライド部材が摺接する前記軸部の第１摺接部を前記主走査方向の全域に亘って覆う第１カバー部と、を備えることを特徴とする画像記録装置。
【請求項２】
前記第１カバー部は、前記軸部の前記第１摺接部の全周を覆うことを特徴とする請求項１に記載の画像記録装置。
【請求項３】
前記第１カバー部は、前記スライド部材から前記第１向きに延びる第１カバー部材と、前記フレームから前記第１カバー部材に重なるように前記第２向きに延びる第２カバー部材とを有することを特徴とする請求項１又は請求項２に記載の画像記録装置。
【請求項４】
前記第１カバー部材と前記第２カバー部材との隙間に隙間を小さくする第１遮蔽部材を設けることを特徴とする請求項３に記載の画像記録装置。
【請求項５】
前記駆動伝達切替機構は、
前記切替ギヤが複数の前記スライド位置にスライドするときに、複数の前記スライド位置のうち最も前記第１向き側の前記スライド位置に位置する前記切替ギヤよりも前記第２向き側において前記切替ギヤが摺接する前記軸部の第２摺接部を前記主走査方向の全域に亘って覆う第２カバー部を備えることを特徴とする請求項１から請求項４の何れか一項に記載の画像記録装置。
【請求項６】
前記第２カバー部は、前記軸部の前記第２摺接部の全周を覆うことを特徴とする請求項５に記載の画像記録装置。
【請求項７】
前記第２カバー部は、前記切替ギヤから前記第２向きに延びる第３カバー部材と、前記フレームから前記第３カバー部材に重なるように前記第１向きに延びる第４カバー部材とを有することを特徴とする請求項５又は請求項６に記載の画像記録装置。
【請求項８】
前記第３カバー部材と前記第４カバー部材との隙間に隙間を小さくする第２遮蔽部材を設けることを特徴とする請求項７に記載の画像記録装置。
【請求項９】
前記駆動伝達切替機構は、
前記スライド部材が前記第１位置と前記第２位置との間をスライドするときに、前記スライド部材と前記切替ギヤとの間の前記軸部の第３摺接部を前記主走査方向の全域に亘って覆う第３カバー部を備えることを特徴とする請求項１から請求項８の何れか一項に記載の画像記録装置。
【請求項１０】
前記第３カバー部は、前記軸部の前記第３摺接部の全周を覆うことを特徴とする請求項９に記載の画像記録装置。
【請求項１１】
前記第３カバー部は、前記スライド部材から前記第２向きに延びる第５カバー部材と、前記切替ギヤから前記第５カバー部材に重なるように前記第１向きに延びる第６カバー部材とを有することを特徴とする請求項９又は請求項１０に記載の画像記録装置。
【請求項１２】
前記第５カバー部材と前記第６カバー部材との隙間に隙間を小さくする第３遮蔽部材を設けることを特徴とする請求項１１に記載の画像記録装置。
【請求項１３】
前記フレームの前記主走査方向と直交する副走査方向における端部から前記軸部よりも下方まで延びる壁部を設けることを特徴とする請求項１から請求項１２の何れか一項に記載の画像記録装置。
【請求項１４】
前記フレームは、前記レバーアームを案内する案内孔部を有し、
前記スライド部材は、前記第１位置及び第２位置において前記案内孔部を覆う第４カバー部を有することを特徴とする請求項１から請求項１３の何れか一項に記載の画像記録装置。
【発明の詳細な説明】
【技術分野】
【０００１】
本発明は、画像記録装置に関する。
【背景技術】
【０００２】
従来、インクジェットプリンタ等の画像記録装置において、１つのモータで給送機構、搬送機構、クリーニング機構等の複数の機構を駆動させる構成が用いられている。例えば、特許文献１には、切替ギヤをスライドさせることにより、モータから複数の機構への駆動力の切り替えを行う構成が開示されている。
【０００３】
詳細には、切替ギヤとレバーアームを有するスライド部材とを一体的にスライド可能に支持する軸部を備え、キャリッジの移動によってレバーアームが押されることで、スライド部材及び切替ギヤがスライドする駆動伝達切替機構が用いられている。切替ギヤがスライドする位置には間隔を空けて各機構に繋がる複数の伝達ギヤが配置されており、切替ギヤがスライドして所定の伝達ギヤと噛み合うことで各機構を選択的に駆動している。
【０００４】
このような駆動伝達切替機構を用いることにより、キャリッジの移動を制御するだけで駆動させる機構を機械的に切り替えることができ、切り替えのための新たな駆動源を設ける必要がなく、簡単な構成とすることができる。
【先行技術文献】
【特許文献】
【０００５】
【特許文献１】特開２０１６−６４５７８号公報
【発明の概要】
【発明が解決しようとする課題】
【０００６】
ところで、画像記録装置は屋外で使用されることもあり、その場合画像記録装置内に砂塵等の異物が侵入する。そのような環境下で上記の駆動伝達切替機構を備えた画像記録装置が使用されると、画像記録装置内に侵入した異物は軸部の露出した部分に付着する。特に、軸部の切替ギヤ及びスライド部材との摺接部分には潤滑剤が塗布されており、異物が付着しやすい。異物が摺接部分に付着すると摺動抵抗が大きくなり、切替不良やモータの負荷増加による発熱などの問題が生じる原因となる。
【０００７】
本発明は、駆動伝達切替機構の切替ギヤ及びスライド部材を支持する軸部への異物の付着を抑制する画像記録装置を提供することを目的とする。
【課題を解決するための手段】
【０００８】
本発明の画像記録装置は、記録ヘッドを支持し、第１向きと前記第１向きと反対向きの第２向きとを含む主走査方向に往復動するキャリッジと、モータと、前記モータの駆動力を複数の駆動部に選択的に切り替えて伝達する駆動伝達切替機構と、を備え、前記駆動伝達切替機構は、フレームと、前記フレームに支持され、前記主走査方向に延びる軸部と、前記軸部にスライド可能に支持され、前記モータの駆動力によって回転する切替ギヤと、前記切替ギヤのスライド位置に応じて前記主走査方向に並設され、前記切替ギヤと噛合可能であり、複数の前記駆動部へ駆動力を伝達するための複数の伝達ギヤと、前記キャリッジの移動領域へ突出するレバーアームを有し、前記切替ギヤの前記第１向き側の前記軸部にスライド可能に支持され、前記キャリッジの往復動に連動してスライドし、第１位置と前記第１位置よりも前記第１向き側の第２位置との間をスライドすることによって前記切替ギヤが複数の前記伝達ギヤの何れかに噛合する複数のスライド位置に移動することを許容するスライド部材と、前記スライド部材が前記第１位置と前記第２位置との間をスライドするときに、前記第１位置に位置する前記スライド部材よりも前記第１向き側において前記スライド部材が摺接する前記軸部の第１摺接部を前記主走査方向の全域に亘って覆う第１カバー部と、を備える。
【発明の効果】
【０００９】
本発明によれば、第１カバー部が軸部の第１摺接部を主走査方向の全域に亘って覆うため、第１摺接部に異物が付着することを抑制できる。よって、異物の付着によるスライド部材の摺動抵抗の増大を抑制し、切替ギヤの切替不良やモータの負荷増加による発熱などを抑制できる。
【図面の簡単な説明】
【００１０】
【図１】一実施形態のプリンタの模式断面図である。
【図２】記録部の構成を示す平面図である。
【図３】駆動伝達切替機構の斜視図である。
【図４】スライド部材が第１位置にあるときの駆動伝達切替機構の平面図である。
【図５】図４のＡ−Ａ断面図である。
【図６】図４のＢ−Ｂ断面図である。
【図７】スライド部材が第２位置にあるときの駆動伝達切替機構の平面図である。
【図８】図７のＣ−Ｃ断面図である。
【図９】図７のＤ−Ｄ断面図である。
【図１０】変形例の駆動伝達切替機構の斜視図である。
【発明を実施するための形態】
【００１１】
以下の説明では、図１に示すように、プリンタ１０が使用可能に設置された状態を基準とし、給送トレイ１１が引き出される側を前、その反対側を後とし、プリンタ１０を前側から見て左右方向及び上下方向を規定し、各方向を定める。
【００１２】
［プリンタの概略構成］
図１に示すように、画像記録装置の一例としてのプリンタ１０（画像記録装置）は、主にコンピュータなどの外部情報機器と接続されて、外部情報機器から送信された画像データや文書データを含む印刷データに基づいて、シートＳに画像や文書を記録する。なお、プリンタ１０は、メモリカードなどの各種記憶媒体が装填されて、記憶媒体に記録された画像データなどをシートＳに記録することも可能である。
【００１３】
プリンタ１０は、上下二段に配置された給送トレイ１１及び排出トレイ１２を有する。給送トレイ１１は、排出トレイ１２の下側に配置されており、シートＳが収容される。給送トレイ１１に収容されたシートＳが給送ローラ１３により搬送路１４へ給送されて記録部１５により所望の画像が記録され、排出トレイ１２へ排出される。
【００１４】
搬送路１４は、給送トレイ１１の後端から上方へ向かって延びた後、プリンタ１０の正面側へ曲がり、記録部１５を経て排出トレイ１２へ通じている。したがって、給送トレイ１１に収容されたシートＳは、搬送路１４により下方から上方へＵターンするように案内されて記録部１５に至り、記録部１５により画像記録が行われた後、排出トレイ１２に排出される。
【００１５】
搬送路１４の湾曲部より搬送方向下流側には、記録部１５が設けられている。記録部１５は、記録ヘッド２１を搭載して往復動するキャリッジ２２を備えている。記録ヘッド２１には、プリンタ１０内において記録ヘッド２１とは独立に配置されたインクカートリッジからインクチューブ２０（図２参照）を通じてシアン（Ｃ）・マゼンタ（Ｍ）・イエロー（Ｙ）・ブラック（Ｂｋ）の各色インクが供給される。キャリッジ２２が往復動される間に、記録ヘッド２１から各色インクが微小なインク滴として選択的に吐出されることによって、プラテン１６上を搬送されるシートＳに画像記録が行われる。
【００１６】
記録部１５の上流側及び下流側には、搬送ローラ対１７，１８がそれぞれ設けられている。搬送ローラ対１７，１８は、搬送路１４を搬送されているシートＳを狭持して搬送する。搬送ローラ対１７，１８の一方のローラは、モータＭの出力が伝達されて回転する。搬送ローラ対１７，１８の他方のローラは、駆動伝達されたローラに従動して回転する。
【００１７】
［記録部］
図２に示すように、搬送路１４の上側においてシートＳの搬送方向（図２の後側から前側方向）に所定距離を隔てられて、一対のガイドレール２３，２４がシートＳの搬送方向と直交する主走査方向（図２の左右方向）に延設されている。ガイドレール２３，２４は、プリンタ１０の筐体内に設けられて、プリンタ１０を構成する各部材を支持するフレームの一部を構成している。キャリッジ２２は、ガイドレール２３，２４を跨ぐように載置されて、ガイドレール２３，２４上を主走査方向にスライド可能である。主走査方向は、第１向きの一例としての右向きと、第２向きの一例としての左向きとを含んでいる。また、主走査方向と直交する方向を副走査方向とする。本実施形態における副走査方向は前後方向である。
【００１８】
シートＳの搬送方向上流側に配設されたガイドレール２３は、搬送路１４の幅方向（図２の左右方向）の長さがキャリッジ２２の往復動範囲より長い平板状のものである。シートＳの搬送方向下流側に配設されたガイドレール２４は、搬送路１４の幅方向の長さがガイドレール２３とほぼ同じ長さの平板状のものである。キャリッジ２２における搬送方向上流側の端部がガイドレール２３上に載置され、下流側の端部がガイドレール２４上に載置されて、ガイドレール２３，２４の長手方向に沿ってキャリッジ２２が摺動される。
【００１９】
ガイドレール２４における搬送方向上流側の縁部２５は、上方へ向かって略直角に曲折されている。ガイドレール２３，２４に担持されたキャリッジ２２は、縁部２５をローラ対などの狭持部材により摺動可能に狭持している。これにより、キャリッジ２２は、シートＳの搬送方向に対して位置決めされ、且つ、主走査方向に摺動可能になる。
【００２０】
ガイドレール２４の上面には、ベルト駆動機構２６が配設されている。ベルト駆動機構２６は、搬送路１４の幅方向の両端付近にそれぞれ設けられた駆動プーリ２７と従動プーリ２８との間に、内側に歯が設けられた無端環状のベルト２９が張架されてなるものである。駆動プーリ２７の軸にはモータＭから駆動力が入力され、駆動プーリ２７の回転によりベルト２９が周運動する。なお、ベルト２９は無端環状のもののほか、有端のベルトの両端部をキャリッジ２２に固着するものを用いてもよい。
【００２１】
キャリッジ２２は、その底面側においてベルト２９に固着されている。したがって、モータＭによるベルト２９の周運動に基づいて、キャリッジ２２が縁部２５を基準としてガイドレール２３，２４上を主走査方向に往復動する。このようなキャリッジ２２に記録ヘッド２１が搭載されて、記録ヘッド２１が、主走査方向に往復動される。
【００２２】
ガイドレール２４には、リニアエンコーダのエンコーダーストリップ３０が配設されている。エンコーダーストリップ３０は、透明な樹脂からなる帯状のものである。ガイドレール２４の幅方向（主走査方向）の両端には、その上面から起立するように一対の支持部３１，３２が形成されている。エンコーダーストリップ３０は、その両端部が支持部３１，３２に係止されて、縁部２５に沿って架設されている。
【００２３】
エンコーダーストリップ３０には、光を透過させる透光部と光を遮断する遮光部とが、等ピッチで長手方向に交互に配置されたパターンが記されている。キャリッジ２２の上面のエンコーダーストリップ３０に対応する位置には、透過型センサである光学センサ（不図示）が設けられている。光学センサは、キャリッジ２２とともにエンコーダーストリップ３０の長手方向に沿って往復動し、その往復動の際にエンコーダーストリップ３０のパターンを検知する。
【００２４】
記録ヘッド２１には、インクの吐出を制御するヘッド制御基板が設けられている。ヘッド制御基板は、光学センサの検知信号に基づくパルス信号を出力し、このパルス信号に基づいてキャリッジ２２の位置を判断して、モータＭの回転駆動が制御される。なお、図２では、キャリッジ２２に搭載されたヘッド制御基板はカバーで覆われており、図に現れていない。
【００２５】
図１及び図２に示されるように、搬送路１４の下側には、記録ヘッド２１と対向してプラテン１６が配設されている。プラテン１６は、キャリッジ２２の往復動範囲のうち、シートＳが通過する中央部分に渡って配設されている。プラテン１６の幅は、搬送可能なシートＳの最大幅より大きいので、搬送路１４を搬送されるシートＳにおける幅方向の両端は常にプラテン１６上を通過する。
【００２６】
図２に示されるように、プラテン１６における幅方向の両側のうち、一方にはパージ機構３４が配設され、他方には廃インクトレイ３５が配設されている。パージ機構３４は、記録ヘッド２１のノズルから気泡や異物を吸引除去するものである。パージ機構３４は、記録ヘッド２１のノズルを覆うキャップ３６を有する。キャップ３６は、公知のリフトアップ機構によって上下動されて記録ヘッド２１と接離する。
【００２７】
図２には現れていないが、パージ機構３４は、さらに吸引ポンプを有する。吸引ポンプは、キャップ３６と接続されており、吸引ポンプが動作されることによって、キャップ３６の内部が負圧にされる。キャップ３６が記録ヘッド２１と接触してノズル及び排気口をそれぞれ覆った状態において吸引ポンプが作動されると、記録ヘッド２１から気泡や異物が吸引除去される。
【００２８】
廃インクトレイ３５は、フラッシングと呼ばれる記録ヘッド２１からのインクの空吐出を受けるためのものである。廃インクトレイ３５内にはインク吸収材としてフェルトが敷設されており、フラッシングされたインクは、このフェルトに吸収されて保持される。このようにパージ機構３４及び廃インクトレイ３５が用いられて、記録ヘッド２１内の気泡や混色インクの除去、乾燥防止などのメンテナンスが行われる。
【００２９】
各図には示されていないが、プリンタ１０には、カートリッジ装着部が設けられ、各種インクを貯蔵するインクカートリッジが装着される。カートリッジ装着部からキャリッジ２２へは、各色インクに対応した複数本のインクチューブ２０が引き回されている。キャリッジ２２に搭載された記録ヘッド２１には、各インクチューブ２０を通じて、カートリッジ装着部に装着されたインクカートリッジから各色インクが供給される。インクチューブ２０は、合成樹脂製のチューブであり、キャリッジ２２の往復動に追従して撓む可撓性を有する。
【００３０】
図示されていない制御部を構成するメイン基板から記録ヘッド２１のヘッド制御基板へはフラットケーブル３７を通じて記録用信号などの伝送が行われる。なお、メイン基板は装置正面側に配設されており、図２には現れていない。
【００３１】
［駆動伝達切替機構］
以下、モータＭからの駆動力を給送ローラ１３、パージ機構３４の各駆動部へ選択的に伝達する駆動伝達切替機構４０について説明する。駆動伝達切替機構４０は、ガイドレール２３，２４などにより構成されるフレームの右側に配置されて、モータＭから出力される駆動力を、各駆動部に選択的に切り替えて伝達するものである。
【００３２】
図３は駆動伝達切替機構４０の斜視図、図４はスライド部材４７が第１位置にあるときの駆動伝達切替機構４０の平面図、図５は図４のＡ−Ａ断面図、図６は図４のＢ−Ｂ断面図、図７はスライド部材４７が第２位置にあるときの駆動伝達切替機構４０の平面図、図８は図７のＣ−Ｃ断面図、図９は図７のＤ−Ｄ断面図である。
【００３３】
図３に示すように、駆動伝達切替機構４０は、駆動伝達切替機構４０の各部材を支持するフレーム４１と、軸部４３を支持するためのフレーム４２とを備える。また駆動伝達切替機構４０は、フレーム４２に支持され、主走査方向に延びる軸部４３を備える。また駆動伝達切替機構４０は、軸部４３にスライド可能に支持され、モータＭの駆動力によって回転する切替ギヤ４４を備える。
【００３４】
また駆動伝達切替機構４０は、切替ギヤ４４のスライド位置に応じて主走査方向に並設され、切替ギヤ４４と噛合可能であり、各駆動部へ駆動力を伝達するための２つの伝達ギヤ４５，４６（図６参照）を備える。
【００３５】
また駆動伝達切替機構４０は、キャリッジ２２の移動領域へ突出するレバーアーム４７１を有するスライド部材４７を備える。スライド部材４７は、切替ギヤ４４の右向き側の軸部４３にスライド可能に支持され、キャリッジ２２の往復動に連動してスライドする。スライド部材４７は、第１位置（図５に示す位置）と第１位置よりも右側の第２位置（図８に示す位置）との間をスライドすることによって切替ギヤ４４が２つの伝達ギヤ４５，４６の何れかに噛合する２つのスライド位置に移動することを許容する。
【００３６】
モータＭの出力は、搬送ローラ対１７の駆動ローラ１９（図１参照）に入力される。駆動ローラ１９の右端には駆動ギヤ（不図示）が駆動ローラ１９と同軸かつ一体に回転するように設けられている。つまり、駆動ギヤは、駆動ローラ１９の回転軸周りに回転する。この駆動ギヤに切替ギヤ４４（図３参照）が噛合されて、切替ギヤ４４がモータＭの出力に基づいて回転駆動される。
【００３７】
各伝達ギヤ４５，４６は相互に独立して回転可能である。切替ギヤ４４がスライドされることにより、切替ギヤ４４と各伝達ギヤ４５，４６との噛合が選択される。本実施形態では、伝達ギヤ４５は、モータＭの駆動力を給送ローラ１３に伝達する。一方、伝達ギヤ４６は、モータＭの駆動をパージ機構３４に伝達する。
【００３８】
このようにして、モータＭの駆動力が各伝達ギヤ４５，４６を介して各駆動部に伝達される。なお、各駆動部の具体例は一例に過ぎず、また、駆動伝達切替機構４０においては、必ずしも２個の伝達ギヤ４５，４６が設けられる必要はない。例えば、下側トレイや再搬送経路が設けられたプリンタにおいては、伝達ギヤ４５，４６に加えて、さらに２つの伝達ギヤが所定の位置に配置される。
【００３９】
図３から図６に示すように、スライド部材４７は、軸部４３に外嵌される筒部４７２と、筒部４７２から上方に突設されたレバーアーム４７１とを有する。本実施形態においてスライド部材４７は一体成型品であるが、複数の部品を組み付けた形態であってもよい。筒部４７２は、軸部４３に外嵌されて軸線方向にスライド自在且つ回転自在である。つまり、レバーアーム４７１は、軸部４３の軸線方向にスライドさせることができ、また、軸部４３回りに回転させることができる。
【００４０】
図６に示すように、切替ギヤ４４は、軸部４３に外嵌されて軸線方向へ伸縮するコイルバネ４８によりスライド部材４７側へ弾性的に付勢されており、スライド部材４７は、軸部４３に外嵌されて軸線方向に伸縮する別のコイルバネ４９により切替ギヤ４４側へ弾性的に付勢されている。これにより、切替ギヤ４４及びスライド部材４７は、軸部４３において相互に当接されて一体となっている。コイルバネ４９の付勢力は、コイルバネ４８の付勢力より大きい。したがって、切替ギヤ４４及びスライド部材４７は、外力が付与されなければ左向きにスライドし、切替ギヤ４４がフレーム４２の左側部４２１に当接し、スライド部材４７が切替ギヤ４４に当接した第１位置に位置する。
【００４１】
図３に示すように、フレーム４２は、フレーム４１の後上端部に組み付けられている。フレーム４２は、軸部４３の左端部を支持する左側部４２１と、軸部４３の右端部を支持する右側部４２２と、左側部４２１の上端部と右側部４２２の上端部とを接続する上側部４２３とを有する。上側部４２３は、ガイドレール２３に固定されている。
【００４２】
上側部４２３にはレバーアーム４７１を案内する案内孔部４２４が形成されている。案内孔部４２４は、主走査方向に長い孔であり、レバーアーム４７１が挿入されている。案内孔部４２４に挿入されたレバーアーム４７１は、案内孔部４２４の上方のガイドレール２３の孔部２３１（図２参照）を通じてガイドレール２３の上側へ突出している。
【００４３】
図２に示すように、キャリッジ２２の搬送向き上流端には、搬送向き上流側へ突出するガイド片３８が設けられている。ガイド片３８はキャリッジ２２とともに往復動される。キャリッジ２２とともにガイド片３８が右向きに移動されることにより、ガイド片３８がレバーアーム４７１に当接し、レバーアーム４７１とともにスライド部材４７が第１位置（図６参照）から右向きにスライドされ、第２位置（図９参照）へ移動する。このとき、切替ギヤ４４はコイルバネ４８に付勢されて伝達ギヤ４５に噛合する位置（図６参照）から右向きにスライドし、伝達ギヤ４６に噛合する位置（図９参照）に移動する。
【００４４】
＜軸部への異物の付着を抑制する構成＞
図６に示すように、駆動伝達切替機構４０は、プリンタ１０の外部から侵入した砂塵等の異物が軸部４３へ付着することを抑制するための構成として、第１カバー部５１と、第２カバー部５２と、第３カバー部５３とを有している。
【００４５】
（第１カバー部）
第１カバー部５１は、スライド部材４７が第１位置と第２位置との間をスライドするときに、第１位置に位置するスライド部材４７よりも右側においてスライド部材４７が摺接する軸部４３の第１摺接部４３Ａの全周を覆うものである。
【００４６】
第１カバー部５１は、第１カバー部材４７３と、第２カバー部材４２５とを有する。第１カバー部材４７３は、スライド部材４７における筒部４７２の右端部から軸部４３とコイルバネ４９が挿入される隙間を有して右向きに延びる筒状部材である。本実施形態において、第１カバー部材４７３はスライド部材４７との一体成型品である。なお、別体の第１カバー部材４７３をスライド部材４７に組み付ける形態であってもよい。
【００４７】
第２カバー部材４２５は、フレーム４２の右側部４２２から第１カバー部材４７３の外周面に隙間を有して重なるように左向きに延びる筒状部材である。本実施形態において、第２カバー部材４２５はフレーム４２との一体成型品である。なお、別体の第２カバー部材４２５をフレーム４２に組み付ける形態であってもよい。
【００４８】
第２カバー部材４２５の左端部の内周面には、第１カバー部材４７３と第２カバー部材４２５との隙間を小さくする第１遮蔽部材５４が設けられている。第１遮蔽部材５４は、砂塵等の異物を遮蔽するものであればよく、例えば、リング状のブラシやヘラを用いることができる。
【００４９】
このような第１カバー部５１は、図６に示すようにスライド部材４７が第１位置にある場合と、図９に示すようにスライド部材４７が第２位置にある場合との両方で軸部４３における第１摺接部４３Ａの全周を覆っている。よって、プリンタ１０の外部から侵入した砂塵等の異物が第１摺接部４３Ａに付着することを抑制できる。その結果、スライド部材４７の摺動抵抗の増大が抑制され、切替ギヤ４４の切替不良やモータＭの負荷増加による発熱などが抑制される。
【００５０】
また、第１カバー部５１を第１カバー部材４７３及び第２カバー部材４２５で構成することにより、第１カバー部材４７３と第２カバー部材４２５とが重なる分だけ軸部４３を短くでき、駆動伝達切替機構４０の主走査方向の長さを短くすることができる。
【００５１】
なお、第２カバー部材４２５が内周側、第１カバー部材４７３が外周側となるように重なる形態であってもよい。また、第１カバー部５１は、必ずしも第１摺接部４３Ａの全周を覆う必要はなく、第１摺接部４３Ａを主走査方向の全域に亘って覆っていればよい。例えば、第１カバー部は、第１摺接部４３Ａの上側を覆う半円筒形状の部材であってもよい。
【００５２】
また、第１カバー部５１は１つの部材で構成してもよい。例えば、第１カバー部材４７３だけで第１摺接部４３Ａを覆うことができるように、第１カバー部材４７３を長く構成してもよい。但し、この場合は第１カバー部材４７３がフレーム４２の右側部４２２と干渉しないように、フレーム４２及び軸部４３を延ばす必要がある。また例えば、蛇腹構造等の伸縮性のあるカバー部材を用い、その両端部をスライド部材４７と右側部４２２とに固定する構成としてもよい。
【００５３】
（第２カバー部）
第２カバー部５２は、切替ギヤ４４がスライドするときに、図９に示す右側のスライド位置に位置する切替ギヤ４４よりも左側において切替ギヤ４４が摺接する軸部４３の第２摺接部４３Ｂの全周を覆うものである。
【００５４】
第２カバー部５２は、第３カバー部材４４１と、第４カバー部材４２６とを有する。第３カバー部材４４１は、切替ギヤ４４におけるギヤ部分の内周に形成された筒状部材である。第３カバー部材４４１は、切替ギヤ４４の左端部から左向きに延びる筒状部材であってもよい。本実施形態において、第３カバー部材４４１は切替ギヤ４４との一体成型品である。なお、別体の第３カバー部材４４１を切替ギヤ４４に組み付ける形態であってもよい。
【００５５】
第４カバー部材４２６は、軸部４３とコイルバネ４８が挿入される隙間を有し、かつ第３カバー部材４４１の内周面に隙間を有して重なるように、フレーム４２の左側部４２２から右向きに延びる筒状部材である。本実施形態において、第４カバー部材４２６はフレーム４２との一体成型品である。なお、別体の第４カバー部材４２６をフレーム４２に組み付ける形態であってもよい。
【００５６】
第３カバー部材４４１の左端部の内周面には、第３カバー部材４４１と第４カバー部材４２６との隙間を小さくする第２遮蔽部材５５が設けられている。第２遮蔽部材５５は、第１遮蔽部材５４と同様に砂塵等の異物を遮蔽するものであればよく、例えば、リング状のブラシやヘラを用いることができる。
【００５７】
このような第２カバー部５２は、図６に示すように切替ギヤ４４が左側のスライド位置にある場合と、図９に示すように切替ギヤ４４が右側のスライド位置にある場合との両方で軸部４３における第２摺接部４３Ｂの全周を覆っている。よって、プリンタ１０の外部から侵入した砂塵等の異物が第２摺接部４３Ｂに付着することを抑制できる。その結果、切替ギヤ４４の摺動抵抗の増大が抑制され、切替ギヤ４４の切替不良やモータＭの負荷増加による発熱などが抑制される。
【００５８】
また、第２カバー部５２を第３カバー部材４４１及び第４カバー部材４２６で構成することにより、第３カバー部材４４１と第４カバー部材４２６とが重なる分だけ軸部４３を短くでき、駆動伝達切替機構４０の主走査方向の長さを短くすることができる。
【００５９】
なお、第３カバー部材４４１が内周側、第４カバー部材４２６が外周側となるように重なる形態であってもよい。また、第２カバー部５２は、必ずしも第２摺接部４３Ｂの全周を覆う必要はなく、第２摺接部４３Ｂを主走査方向の全域に亘って覆っていればよい。例えば、第２カバー部５２は、第２摺接部４３Ｂの上側を覆う半円筒形状の部材であってもよい。
【００６０】
また、第２カバー部５２は１つの部材で構成してもよい。例えば、第３カバー部材４４１だけで第２摺接部４３Ｂを覆うことができるように、第３カバー部材４４１を長く構成してもよい。但し、この場合は第３カバー部材４４１がフレーム４２の左側部４２１と干渉しないように、フレーム４２及び軸部４３を延ばす必要がある。また例えば、蛇腹構造等の伸縮性のあるカバー部材を用い、その両端部を切替ギヤ４４と左側部４２１とに固定する構成としてもよい。
【００６１】
（第３カバー部）
第３カバー部５３は、スライド部材４７が第１位置と第２位置との間をスライドするときに、スライド部材４７と切替ギヤ４４との間の軸部４３における第３摺接部４３Ｃの全周を覆うものである。
【００６２】
第３カバー部５３は、第５カバー部材４７４と、第６カバー部材４４２とを有する。第５カバー部材４７４は、スライド部材４７における筒部４７２の左端部から軸部４３に外嵌して左向きに延びる筒状部材である。第５カバー部材４７４は、スライド部材４７における筒部４７２の左端部から軸部４３と隙間を有して左向きに延びる筒状部材であってもよい。本実施形態において、第５カバー部材４７４はスライド部材４７との一体成型品である。なお、別体の第５カバー部材４７４をスライド部材４７に組み付ける形態であってもよい。
【００６３】
第６カバー部材４４２は、切替ギヤ４４の右端部から第５カバー部材４７４の外周面に隙間を有して重なるように右向きに延びる筒状部材である。本実施形態において、第６カバー部材４４２は切替ギヤ４４との一体成型品である。なお、別体の第６カバー部材４４２を切替ギヤ４４に組み付ける形態であってもよい。
【００６４】
第６カバー部材４４２の右端部の内周面には、第５カバー部材４７４と第６カバー部材４４２との隙間を小さくする第３遮蔽部材５６が設けられている。第３遮蔽部材５６は、第１遮蔽部材５４と同様に砂塵等の異物を遮蔽するものであればよく、例えば、リング状のブラシやヘラを用いることができる。
【００６５】
このような第３カバー部５３は、図６に示すようにスライド部材４７が第１位置にある場合と、図９に示すようにスライド部材４７が第２位置にある場合との両方で軸部４３における第３摺接部４３Ｃの全周を覆っている。よって、プリンタ１０の外部から侵入した砂塵等の異物が第３摺接部４３Ｃに付着することを抑制できる。その結果、スライド部材４７の摺動抵抗の増大が抑制され、切替ギヤ４４の切替不良やモータＭの負荷増加による発熱などが抑制される。
【００６６】
また、第３カバー部５３を第５カバー部材４７４及び第６カバー部材４４２で構成することにより、第５カバー部材４７４と第６カバー部材４４２とが重なる分だけ軸部４３を短くでき、駆動伝達切替機構４０の主走査方向の長さを短くすることができる。
【００６７】
なお、第６カバー部材４４２が内周側、第５カバー部材４７４が外周側となるように重なる形態であってもよい。また、第３カバー部５３は、必ずしも第３摺接部４３Ｃの全周を覆う必要はなく、第３摺接部４３Ｃを主走査方向の全域に亘って覆っていればよい。例えば、第３カバー部５３は、第３摺接部４３Ｃの上側を覆う半円筒形状の部材であってもよい。
【００６８】
また、第３カバー部５３は１つの部材で構成してもよい。例えば、第６カバー部材４４２だけで第３摺接部４３Ｃを覆うことができるように、第６カバー部材４４２を長く構成してもよい。但し、この場合は第６カバー部材４４２がスライド部材４７と干渉しないように、フレーム４２及び軸部４３を延ばす必要がある。また例えば、蛇腹構造等の伸縮性のあるカバー部材を用い、その両端部をスライド部材４７と切替ギヤ４４とに固定する構成としてもよい。
【００６９】
［変形例］
図１０は、変形例の駆動伝達切替機構４００の斜視図である。駆動伝達切替機構４００は、壁部５７と第４カバー部５８とを備える点で上記の駆動伝達切替機構４０と異なり、他の構成は上記の駆動伝達切替機構４０と同様である。駆動伝達切替機構４０と同部材には同符号を付してその詳細な説明を省略する。
【００７０】
壁部５７は、フレーム４２の前端部から軸部４３よりも下方まで延びる板状部材である。壁部５７を設けることにより軸部４３の前側が遮蔽されるため、軸部４３に対する前方からの異物の遮蔽効果が向上する。なお、壁部５７はフレーム４２の後端側に設けてもよい。この場合、軸部４３に対する後方からの異物の遮蔽効果が向上する。
【００７１】
第４カバー部５８は、スライド部材４７に設けられ、スライド部材４７が第１位置及び第２位置にあるときに案内孔部４２４を覆うものである。本実施形態において、第４カバー部５８は、レバーアーム４７１の案内孔部４２４から上方へ突出した部分に、レバーアーム４７１と直交して固定された矩形の板状部材である。なお、第４カバー部５８は、レバーアーム４７１の案内孔部４２４から下方へ突出した部分に設けてもよい。また、第４カバー部５８の形状には特に限定はなく、スライド部材４７が第１位置及び第２位置にあるときに案内孔部４２４を覆うことができる形状であればよい。
【００７２】
このように、第４カバー部５８を設けることにより案内孔部４２４の上側が遮蔽されるため、案内孔部４２４から異物が侵入することを抑制でき、軸部４３に対する上方からの異物の遮蔽効果が向上する。
【００７３】
［実施形態の効果］
上記の実施形態のプリンタ１０は、記録ヘッド２１を支持し、第１向きと第１向きと反対向きの第２向きとを含む主走査方向に往復動するキャリッジ２２と、モータＭと、モータＭの駆動力を複数の駆動部に選択的に切り替えて伝達する駆動伝達切替機構４０とを備える。駆動伝達切替機構４０は、フレーム４２と、フレーム４２に支持され、主走査方向に延びる軸部４３と、軸部４３にスライド可能に支持され、モータＭの駆動力によって回転する切替ギヤ４４とを備える。また駆動伝達切替機構４０は、切替ギヤ４４のスライド位置に応じて主走査方向に並設され、切替ギヤ４４と噛合可能であり、複数の駆動部へ駆動力を伝達するための複数の伝達ギヤ４５，４６を備える。また駆動伝達切替機構４０は、キャリッジ２２の移動領域へ突出するレバーアーム４７１を有し、切替ギヤ４４の第１向き側の軸部４３にスライド可能に支持され、キャリッジ２２の往復動に連動してスライドし、第１位置と第１位置よりも第１向き側の第２位置との間をスライドすることによって切替ギヤ４４が複数の伝達ギヤ４５，４６の何れかに噛合する複数のスライド位置に移動することを許容するスライド部材４７を備える。また駆動伝達切替機構４０は、スライド部材４７が第１位置と第２位置との間をスライドするときに、第１位置に位置するスライド部材４７よりも第１向き側においてスライド部材４７が摺接する軸部４３の第１摺接部４３Ａを主走査方向の全域に亘って覆う第１カバー部５１を備える。
【００７４】
この構成によれば、第１カバー部５１が軸部４３の第１摺接部４３Ａを主走査方向の全域に亘って覆うため、第１摺接部４３Ａに異物が付着することを抑制できる。よって、異物の付着によるスライド部材４７の摺動抵抗の増大を抑制し、切替ギヤ４４の切替不良やモータＭの負荷増加による発熱などを抑制できる。
【００７５】
上記の実施形態のプリンタ１０によれば、第１カバー部５１は、軸部４３の第１摺接部４３Ａの全周を覆っている。
【００７６】
この構成によれば、異物の遮蔽効果が向上する。
【００７７】
上記の実施形態のプリンタ１０によれば、第１カバー部５１は、スライド部材４７から第１向きに延びる第１カバー部材４７３と、フレーム４２から第１カバー部材４７３に重なるように第２向きに延びる第２カバー部材４２５とを有する。
【００７８】
この構成によれば、第１カバー部材４７３と第２カバー部材４２５とが重なる分だけ軸部４３を短くでき、駆動伝達切替機構４０の主走査方向の長さを短くすることができる。
【００７９】
上記の実施形態のプリンタ１０によれば、第１カバー部材４７３と第２カバー部材４２５との隙間に隙間を小さくする第１遮蔽部材５４を設けている。
【００８０】
この構成によれば、第１カバー部材４７３と第２カバー部材４２５との隙間から異物が侵入することを抑制できる。
【００８１】
上記の実施形態のプリンタ１０によれば、駆動伝達切替機構４０は、切替ギヤ４４が複数のスライド位置にスライドするときに、複数のスライド位置のうち最も第１向き側のスライド位置に位置する切替ギヤ４４よりも第２向き側において切替ギヤ４４が摺接する軸部４３の第２摺接部４３Ｂを主走査方向の全域に亘って覆う第２カバー部５２を備える。
【００８２】
この構成によれば、第２カバー部５２が軸部４３の第２摺接部４３Ｂを主走査方向の全域に亘って覆うため、第２摺接部４３Ｂに異物が付着することを抑制できる。これにより、軸部４３への異物の付着をさらに抑制することができる。
【００８３】
上記の実施形態のプリンタ１０によれば、第２カバー部５２は、軸部４３の第２摺接部４３Ｂの全周を覆っている。
【００８４】
この構成によれば、異物の遮蔽効果が向上する。
【００８５】
上記の実施形態のプリンタ１０によれば、第２カバー部５２は、切替ギヤ４４から第２向きに延びる第３カバー部材４４１と、フレーム４２から第３カバー部材４４１に重なるように第１向きに延びる第４カバー部材４２６とを有する。
【００８６】
この構成によれば、第３カバー部材４４１と第４カバー部材４２６とが重なる分だけ軸部４３を短くでき、駆動伝達切替機構４０の主走査方向の長さを短くすることができる。
【００８７】
上記の実施形態のプリンタ１０によれば、第３カバー部材４４１と第４カバー部材４２６との隙間に隙間を小さくする第２遮蔽部材５５を設けている。
【００８８】
この構成によれば、第３カバー部材４４１と第４カバー部材４２６との隙間から異物が侵入することを抑制できる。
【００８９】
上記の実施形態のプリンタ１０によれば、駆動伝達切替機構４０は、スライド部材４７が第１位置と第２位置との間をスライドするときに、スライド部材４７と切替ギヤ４４との間の軸部４３の第３摺接部４３Ｃを主走査方向の全域に亘って覆う第３カバー部５３を備える。
【００９０】
この構成によれば、第３カバー部５３が軸部４３の第３摺接部４３Ｃを主走査方向の全域に亘って覆うため、第３摺接部４３Ｃに異物が付着することを抑制できる。これにより、軸部４３への異物の付着をさらに抑制することができる。
【００９１】
上記の実施形態のプリンタ１０によれば、第３カバー部５３は、軸部４３の第３摺接部４３Ｃの全周を覆っている。
【００９２】
この構成によれば、異物の遮蔽効果が向上する。
【００９３】
上記の実施形態のプリンタ１０によれば、第３カバー部５３は、スライド部材４７から第２向きに延びる第５カバー部材４７４と、切替ギヤ４４から第５カバー部材４７４に重なるように第１向きに延びる第６カバー部材４４２とを有する。
【００９４】
この構成によれば、第５カバー部材４７４と第６カバー部材４４２とが重なる分だけ軸部４３を短くでき、駆動伝達切替機構４０の主走査方向の長さを短くすることができる。
【００９５】
上記の実施形態のプリンタ１０によれば、第５カバー部材４７４と第６カバー部材４４２との隙間に隙間を小さくする第３遮蔽部材５６を設けている。
【００９６】
この構成によれば、第５カバー部材４７４と第６カバー部材４４２との隙間から異物が侵入することを抑制できる。
【００９７】
上記の実施形態のプリンタ１０によれば、フレーム４２の主走査方向と直交する副走査方向における端部から軸部４３よりも下方まで延びる壁部５７を設けている。
【００９８】
この構成によれば、軸部４３に対する異物の遮蔽効果が向上する。
【００９９】
上記の実施形態のプリンタ１０によれば、フレーム４２は、レバーアーム４７１を案内する案内孔部４２４を有し、スライド部材４７は、第１位置及び第２位置において案内孔部４２４を覆う第４カバー部５８を有する。
【０１００】
この構成によれば、案内孔部４２４から異物が侵入することを抑制できる。
【符号の説明】
【０１０１】
１０        プリンタ（画像記録装置）
２１        記録ヘッド
２２        キャリッジ
４０        駆動伝達切替機構
４２        フレーム
４３        軸部
４３Ａ      第１摺接部
４３Ｂ      第２摺接部
４３Ｃ      第３摺接部
４４        切替ギヤ
４５，４６  伝達ギヤ
４７        スライド部材
５１        第１カバー部
５２        第２カバー部
５３        第３カバー部
５４        第１遮蔽部材
５５        第２遮蔽部材
５６        第３遮蔽部材
５７        壁部
５８        第４カバー部
４２４      案内孔部
４２５      第２カバー部材
４２６      第４カバー部材
４４１      第３カバー部材
４４２      第６カバー部材
４７１      レバーアーム
４７３      第１カバー部材
４７４      第５カバー部材
Ｍ          モータ
【図１】
2020116923.tif 000003
【図２】
2020116923.tif 000004
【図３】
2020116923.tif 000005
【図４】
2020116923.tif 000006
【図５】
2020116923.tif 000007
【図６】
2020116923.tif 000008
【図７】
2020116923.tif 000009
【図８】
2020116923.tif 000010
【図９】
2020116923.tif 000011
【図１０】
2020116923.tif 000012